(57)【要約】【課題】収納空間と、収納空間の対向する両端に位置する第１の開口及び第２の開口を有するケーシングと、を含むサーバ装置を提供する。【解決手段】サーバ装置の収納空間は、メインボードモジュールと、電源供給モジュールと、電源ポートコネクタと、ストレージアレイモジュールと、を備える。電源供給モジュールは、メインボードモジュールに電気的に接続され、第２の開口を介してケーシングに対して挿抜でき、第２の開口の中にある第１の電気接続ポートを含む。電源ポートコネクタは、第２の開口の中に位置する第１の電気接続ポートに選択的に接続されるように配置され、第１の開口の中に位置する第２の電気接続ポートを含む。ストレージアレイモジュールは、メインボードモジュールと電源供給モジュールに電気的に接続される。【選択図】図２
2018060519.tif 000002
【特許請求の範囲】
【請求項１】
収納空間と、前記収納空間の対向する両端にある第１の開口及び第２の開口と、を有するケーシングと、
前記収納空間内に設けられるメインボードモジュールと、
前記メインボードモジュールに電気的に接続され、前記第２の開口を介して前記ケーシングに対して挿抜可能に前記収納空間内に設けられ、前記第２の開口内に位置する第１の電気接続ポートを含む電源供給モジュールと、
前記第１の開口の中に位置し且つ前記第２の開口の中に位置する第１の電気接続ポートに選択的に接続されるように配置される第２の電気接続ポートを含む電源ポートコネクタと、
前記メインボードモジュール及び前記電源供給モジュールに電気的に接続されるストレージアレイモジュールと、
を含むサーバ装置。
【請求項２】
前記ケーシングは、
前記第２の開口の中に設けられる複数の入力／出力インターフェース素子を更に含む請求項１に記載のサーバ装置。
【請求項３】
前記ストレージアレイモジュールは、
複数の第１の磁気ディスク装置と、第１のガイドレールと、を含む第１のストレージアレイと、
複数の第２の磁気ディスク装置と、前記第１のガイドレールに機械的に連結可能な第２のガイドレールと、を含む第２のストレージアレイと、
を含み、
前記第１のストレージアレイと前記第２のストレージアレイとは、前記第２の開口を介して互いに独立して前記ケーシングに対して滑り込みと滑り出しできるように配置される請求項１に記載のサーバ装置。
【請求項４】
前記第１のストレージアレイと前記第２のストレージアレイとは、摺動して分離することができる請求項３に記載のサーバ装置。
【請求項５】
前記第１の磁気ディスク装置と前記第２の磁気ディスク装置は、ストレージアレイのベース板によって前記メインボードモジュールに電気的に接続される請求項３に記載のサーバ装置。
【請求項６】
前記メインボードモジュールは、
前記第１の開口に対して滑り込みと滑り出しできるトレーを含む請求項１に記載のサーバ装置。
【請求項７】
それぞれ入力／出力インターフェース素子に挿入して、且つ前記ケーシングの前記第２の開口を通過する複数の信号線を更に含む請求項１に記載のサーバ装置。
【請求項８】
前記ストレージアレイモジュールは、各々前記ケーシングの前記第２の開口を介して挿抜することができる複数のストレージアレイを含む請求項１に記載のサーバ装置。
【請求項９】
第１の収容空間、第２の収容空間、第３の収容空間及び第４の収容空間を含む収納空間と、前記収納空間の対向する両端に位置する第１の開口及び第２の開口と、を含むケーシングと、
前記収納空間の前記第４の収容空間内に設けられ、メインボード、前記メインボードに設けられる複数の電子素子、及び前記第１の開口に滑り込みと滑り出しできるトレーを含むメインボードモジュールと、
前記メインボードモジュールに電気的に接続され、前記第２の開口を介して前記ケーシングに対して挿抜可能に前記収納空間の前記第２の収容空間内に設けられ、前記第２の開口の中にある第１の電気接続ポートを含む電源供給モジュールと、
前記第１の開口の中に位置する第２の電気接続ポートを含むように設置され、且つ、第２の開口の中に位置する前記第１の電気接続ポートに選択的に位置するように配置される電源ポートコネクタと、
前記電源供給モジュールに電気的に接続され、前記第１の開口と前記第２の開口を介してケーシングに対して挿抜可能に前記収納空間の前記第３の収容空間内に設けられる複数のファンモジュールと、
前記メインボードモジュール及び前記電源供給モジュールに電気的に接続されるように前記収納空間の前記第１の収容空間に設けられ、複数の第１の磁気ディスク装置及び第１のガイドレールを含む第１のストレージアレイと、複数の第２の磁気ディスク装置及び前記第１のガイドレールに機械的に連結される第２のガイドレールを含む第２のストレージアレイと、を含み、前記第１のストレージアレイと前記第２のストレージアレイとは、独立して前記第２の開口に対して滑り込みと滑り出しできるストレージアレイモジュールと、
を備えるサーバ装置。
【発明の詳細な説明】
【技術分野】
【０００１】
本発明は、サーバスタンダーシステムに関する。
【背景技術】
【０００２】
従来のサーバ産業では、典型的なサーバスタンダーは、通常、サーバスタンダーの前端から取り外されることのできる複数のサーバ装置を含む。尚、ハードディスク及び入力インターフェースは、通常、サーバ装置の前端に位置するが、電源ジャックは、通常、サーバ装置の後端に位置する。サーバ装置の電源ケーブルは、スタンダーの後端から外へ露出するように、それぞれスタンダーの後端に設けられる。
【発明の概要】
【発明が解決しようとする課題】
【０００３】
しかしながら、業界では、自由に取り付け可能なサーバセンブリに対する興味がますます高くなっている。これは、様々な取り付けが許容可能なサーバセンブリを必要とする。残念ながら、サーバセンブリの再設計は、コストが高く、時間がかかるだけでなく、実施不可能な場合がある。従って、上記要求に対応する設計を提供することは、重要な課題である。
【課題を解決するための手段】
【０００４】
本発明の一部の実施例によれば、収納空間と、収納空間の対向する両端に位置する第１の開口及び第２の開口と、を有するケーシングと、収納空間内に設けられるメインボードモジュールと、メインボードモジュールに電気的に接続され、第２の開口を介してケーシングに対して挿抜可能に収納空間内に設けられ、第２の開口の中にある第１の電気接続ポートを含む電源供給モジュールと、第１の開口の中に位置し且つ第２の開口の中に位置する第１の電気接続ポートに選択的に接続されるように配置される第２の電気接続ポートを含む電源ポートコネクタと、メインボードモジュール及び電源供給モジュールに電気的に接続されるストレージアレイモジュールと、を含むサーバ装置を提供する。
【０００５】
本発明の一部の実施例によれば、ケーシングは、第２の開口の中に設けられる複数の入力／出力インターフェース素子を更に含む。
【０００６】
本発明の一部の実施例によれば、ストレージアレイモジュールは、複数の第１の磁気ディスク装置と、第１のガイドレールと、を含む第１のストレージアレイと、複数の第２の磁気ディスク装置と、第１のガイドレールに機械的に連結可能な第２のガイドレールと、を含む第２のストレージアレイと、を含み、第１のストレージアレイと第２のストレージアレイは、第２の開口を介してケーシングに対して滑り込みと滑り出しできるように配置される。
【０００７】
本発明の一部の実施例によれば、第１のストレージアレイと第２のストレージアレイとは、摺動して分離することができる。
【０００８】
本発明の一部の実施例によれば、第１の磁気ディスク装置と第２の磁気ディスク装置は、ストレージアレイのベース板によってメインボードモジュールに電気的に接続される。
【０００９】
本発明の一部の実施例によれば、メインボードモジュールは、第１の開口に対して滑り込みと滑り出しできるトレーを含む。
【００１０】
本発明の一部の実施例によれば、それぞれ入力／出力インターフェース素子に挿入して、且つケーシングの第２の開口を通過する複数の信号線を更に含む。
【００１１】
本発明の一部の実施例によれば、ストレージアレイモジュールは、ケーシングの第２の開口を介して挿抜することができる複数のストレージアレイを含む。
【００１２】
本発明の一部の実施例によれば、第１の収容空間、第２の収容空間、第３の収容空間及び第４の収容空間を含む収納空間と、収納空間の対向する両端に位置する第１の開口及び第２の開口と、を含むケーシングと、収納空間の第４の収容空間内に設けられ、メインボード、メインボードに設けられる複数の電子素子、及び第２の開口に滑り込み及び滑り出しできるトレーを含むメインボードモジュールと、メインボードモジュールに電気的に接続され、第２の開口を介してケーシングに対して挿抜可能に収納空間の第２の収容空間内に設けられ、第２の開口の中にある第１の電気接続ポートを含む電源供給モジュールと、第１の開口の中に位置する第２の電気接続ポートを含むように設置され、且つ、第２の開口の中に位置する第１の電気接続ポートに選択的に位置するように配置される電源ポートコネクタと、電源供給モジュールに電気的に接続され、第１の開口と第２の開口を介してハウジングに対して挿抜可能に収納空間の第３の収容空間内に設けられる複数のファンモジュールと、メインボードモジュール及び電源供給モジュールに電気的に接続されるように収納空間の第１の収容空間に設けられ、複数の第１の磁気ディスク装置及び第１のガイドレールを含む第１のストレージアレイと、複数の第２の磁気ディスク装置及び第１のガイドレールに機械的に連結される第２のガイドレールと、を含む第２のストレージアレイと、を含み、第１のストレージアレイと第２のストレージアレイとは、独立して第２の開口に対して滑り込みと滑り出しできるストレージアレイモジュールと、を備えるサーバ装置を提供する。
【図面の簡単な説明】
【００１３】
【図１】本発明の一部の実施例に係るケーシングの第２の開口からサーバ装置を見る上面斜視図である。
【図２】本発明の一部の実施例に係るケーシングの第１の開口からサーバ装置を見る上面斜視図である。
【図３】本発明の一部の実施例に係るサーバ装置の上面図である。
【図４】本発明の一部の実施例に係る第１の開口から複数のストレージアレイモジュールを見る上面斜視図である。
【図５】本発明の一部の実施例に係るメインボードモジュールの上面図である。
【発明を実施するための形態】
【００１４】
以下、図面及び詳しい説明で本発明の開示内容を明らかに説明するが、全ての添付図では類似又は同等の要素に対して同じ符号が標示される。添付図は、正確な縮尺に基づいて作図されるものではなく、それらは、本発明を説明するために用いられるものに過ぎない。次の複数の実施例は、本発明の複数の態様を説明するために用いられる。了解すべきなのは、本発明に対する完全な理解を提供するために、多くの具体的な細部、関係及び方法を説明する。しかしながら、当業者は、本発明の内容を了解した後に、本発明の開示内容によって教示される技術によって、変更及び修飾を加えることができ、それは、本発明内容の主旨と範囲から逸脱しない。その他の場合に、従来の構造又は操作は詳しく示されず、本発明をあいまいにすることを避ける。本発明は示される動作又はイベントの順序に限定されず、例えば、いくつかの動作が異なる順序で行われる及び／又はその他の動作又はイベントと同時に行われる。尚、本発明による方法を実現するには、すべての説明される動作又はイベントを実行しなければならないことではない。
【００１５】
図１は、サーバ装置１００の上面斜視図である。いくつかの実施例において、サーバ装置１００は、ケーシング２１０と、メインボードモジュール５００と、複数の電源供給モジュール６００と、複数のファンモジュール８００と、ストレージアレイモジュール９００とを含んでよい。
【００１６】
いくつかの実施例において、ケーシング２１０は、長方体形状に形成され、且つスタンダー（簡単のため、未図示）に取り付けられる。ケーシング２１０は、収納空間２２０と、収納空間２２０の対向する両端に位置する第１の端又は第１の開口２３０及び第２の端又は第２の開口２４０を有する。収納空間２２０は、第１の開口２３０と第２の開口２４０を介してケーシング２１０の外部空間に接続される。図１は、本発明の一部の実施例に係る第２の開口２４０からサーバ装置１００を見る上面斜視図である。図２は、本発明の一部の実施例に係る第１の開口２３０からサーバ装置１００を見る上面斜視図である。
【００１７】
メインボードモジュール５００は、収納空間２２０中に設けられ、且つ、第１の開口２３０に位置する。メインボードモジュール５００は、第１の開口２３０を介してＸ軸に沿ってケーシング２１０内に挿入されるように配置されてよい。いくつかの実施例において、メインボードモジュール５００は、Ｙ軸に沿ってケーシング２１０に挿入したり、第１の開口２３０を介してケーシング２１０から抜き出したりすることができる。複数の電源供給モジュール６００は、収納空間２２０に設けられ、且つ、第２の開口２４０に位置する。複数の電源供給モジュール６００は、第２の開口２４０を介してＸ軸に沿ってケーシング２１０内に挿入できるように配置される。複数の電源供給モジュール６００は、Ｙ軸に沿ってケーシング２１０に挿入したり第２の開口２４０を介してケーシング２１０から抜き出したりすることができる。複数の電源供給モジュール６００は、メインボードモジュール５００に電気的に接続される。
【００１８】
ストレージアレイモジュール９００は、収納空間２２０に設けられ、且つ、第２の開口２４０に位置する。ストレージアレイモジュール９００は、第２の開口２４０を介してＸ軸に沿ってケーシング２１０内に挿入できるように配置される。ストレージアレイモジュール９００は、Ｙ軸に沿ってケーシング２１０に挿入したり、第２の開口２４０を介してケーシング２１０から抜き出したりすることができる。ストレージアレイモジュール９００は、メインボードモジュール５００と複数の電源供給モジュール６００に電気的に接続される。
【００１９】
図１と図２に示されるように、複数のファンモジュール８００は、収納空間２２０の内部に配列して設けられ、且つ、第２の開口２４０付近に位置する。複数のファンモジュール８００は、第２の開口２４０を介してＸ軸に沿ってケーシング２１０に挿入できるように配置される。複数のファンモジュール８００は、Ｙ軸に沿ってケーシング２１０に挿入したり、第１の開口２３０又は第２の開口２４０を介してケーシング２１０から抜き出したりすることができる。複数のファンモジュール８００は、複数の電源供給モジュール６００に電気的に接続される。
本発明の別の実施例において、複数のファンモジュール８００は、収納空間２２０の中心に配列して設けられる。複数のファンモジュール８００は、収納空間２２０における第１の開口２３０から第２の開口２４０への空気対流を強化するために用いられる。了解すべきなのは、複数のファンモジュール８００は、如何なる数のファン又は如何なる方式で配向されるファンを含んでもよい。上記方向は、ただ例示的なものであるが、本発明を限定するためのものではない。当業者は、本発明に基づいてファンの数又はファンの方向を自由に選択してよい。
【００２０】
サーバ装置１００は、更に、複数の入力／出力インターフェース素子５３０を含んでもよい。入力／出力インターフェース素子５３０は、メインボードモジュール５００に設けられ且つメインボードモジュール５００内の入力／出力モジュールに電気的に接続される。全ての入力／出力インターフェース素子５３０は、いずれも第２の開口２４０に設けられる。例えば、入力／出力インターフェース素子５３０は、入力／出力インターフェース素子５３０に挿入される複数の信号線（未図示）の一部又は全部が第２の開口２４０からケーシング２１０の外部に延伸され、通過することができるように、第２の開口２４０よりケーシング２１０の外部に露出するか、または、露出しないようにすることができる。入力／出力インターフェース素子５３０は、例えばディスプレイポート、ネットワークポート又はユニバーサルシリアルバス（Ｕｎｉｖｅｒｓａｌ  Ｓｅｒｉａｌ  Ｂｕｓ、ＵＳＢ）ポート等であってよい。
【００２１】
ここで、図３を参照する。ケーシング２１０の収納空間２２０は、第１の収容空間２２１と、第２の収容空間２２２と、第３の収容空間２２３と、第４の収容空間２２４とを含んでよい。本発明のいくつかの実施例において、メインボードモジュール５００は第４の収容空間２２４にあり、複数の電源供給モジュール６００は第２の収容空間２２２に位置し、複数のファンモジュール８００は第３の収容空間２２３に位置し、ストレージアレイモジュール９００は第１の収容空間２２１に位置する。
【００２２】
本実施例において、ストレージアレイモジュール９００と複数の電源供給モジュール６００は、収納空間２２０において並行して設けられ、それらのうちのいずれかは、独立してケーシング２１０から取り外されてよい。ストレージアレイモジュール９００と複数の電源供給モジュール６００は、分離板２７０によって分離される。分離板２７０は、ストレージアレイモジュール９００と複数の電源供給モジュール６００を分離させるように設計される。又、分離板２７０は、曲げ、成形及びスタンピングのような常用の金属製造技術による金属シートからなってもよい。従って、分離板２７０を非常に安価で製造することができる。尚、収納空間２２０には、メインボードモジュール５００とストレージアレイモジュール９００は、それらのうちのいずれかが、独立してケーシング２１０から取り外され、且つ二つのモジュールの空間を最大化させることができるように、互いに対向して設けられる。
【００２３】
複数の電源供給モジュール６００は、少なくとも二つの電源供給ユニットと、第２の開口２４０に位置する第１の電気接続ポート６４０と、第１の開口２３０に位置する第２の電気接続ポート６４１と、を含む。二つの電気接続ポート６４０、６４１は、相違する方向から電源供給ユニットに複数のアクセスポイントからの電源を提供できるように配置される。第１の電気接続ポート６４０と第２の電気接続ポート６４１は、電源ポートコネクタ６４２によって接続される（図３を参照）。第２の電気接続ポート６４１は、複数の電源供給モジュール６００が第１の開口２３０での電源ケーブルによって電力を受けるように、電源ポートコネクタ６４２によって第１の電気接続ポート６４０に接続される。電源ポートコネクタ６４２は、第４の収容空間２２４におけるメインボードモジュール５００の下方にあるか又はそのエッジに沿うように配置され、且つ第３の収容空間２２３における複数のファンモジュール８００の周囲にあり、そして、第２の開口２４０に位置する第１の電気接続ポート６４０に到達するまで、第２の収容空間２２２における複数の電源供給モジュール６００の上方にあるように配置される。
【００２４】
尚、第１の電気接続ポート６４０は、第２の電気接続ポート６４１によって第１の電気接続ポート６４０に接続される電源ケーブルが第１の開口２３０からケーシング２１０の外部に延伸するように、第２の開口２４０からケーシング２１０外部に露出するか露出しないことができる。従って、ケーシング２１０の後方に電力を受ける配置の場合には、ケーシング２１０内の電源ケーブルの接続のため、ケーシング２１０の後側に挿入される交流（Ａｌｔｅｒｎａｔｉｎｇ  Ｃｕｒｒｅｎｔ、ＡＣ）入力がケーシング２１０によってケーシング２１０の前側に到達できる。又は、ケーシング２１０を、前側からケーシング２１０に給電するように設計すれば、交流入力は、電源供給ユニットに直接挿入できる。言い換えれば、ケーシング２１０は、前側又は後側から給電できる。
【００２５】
従って、上記の設計に基づいて、サーバ装置１００を保守又は検査する前に、当業者は最も近い開口（第１の開口２３０又は第２の開口２４０）から、入力／出力インターフェース素子５３０に一部又は全部的に挿入される信号線及びサーバ装置１００に挿入される第１の電気接続ポート６４０と第２の電気接続ポート６４１における電源ケーブルに対して操作、切り替え、抜き出し又は除去を行ってよい。サーバ装置１００の取り外しと修理を行う場合、サーバ装置１００又はサーバスタンダー（未図示）の周囲に新たに位置決めして調整する必要がないため、貴重な時間を節約した。尚、ケーシングがこのような柔軟性を提供するため、サーバセンブリがケーシング内のどのような方向にあっても、サーバセンブリを取り付けることができる。
【００２６】
複数の電源供給モジュール６００は、ハウジング６１０、電源制御板６２０と、複数のファンモジュール８００の電源ファン８０１、８０２、８０３、８０４、８０５、８０６、８０７と、複数の電源関連アセンブリ（未図示）とを含んでよい。ハウジング６１０は、収納空間２２０の第２の収容空間２２２に摺動可能に構成される。電源関連アセンブリは、ハウジング６１０に設けられる。電源関連アセンブリは、例えば周波数増幅器、周波数低減装置又は直流／交流（ＡＣ／ＤＣ）コンバータ等を含んでよい。電源制御板６２０は、電源関連アセンブリを制御することによって電力出力（電圧又は電流）の量を制御するために用いられる。第１の電気接続ポート６４０は、ハウジングの一端に設けられ、且つ、例えば、ハウジング６１０の外部に露出される。第１の電気接続ポート６４０は、電源制御板６２０と、電源ファン８０１、８０２、８０３と、電源関連アセンブリとに電気的に接続される。第２の電気接続ポート６４１は、メインボードモジュール５００の一端に設けられ、且つ、例えば第１の開口２３０からケーシング２１０の外部に露出される。第２の電気接続ポート６４１は、直接又は第１の電気接続ポート６４０を介して、電源制御板６２０と、電源ファン８０１、８０２、８０３と、電力関連アセンブリとに電気的に接続される。電力ファン８０１、８０２、８０３は、空気対流を提供してハウジング６１０での熱を放熱し且つメインボードモジュール５００の一部の熱を伝達するために用いられる。
【００２７】
図４に示されるように、ストレージアレイモジュール９００は、第１の収容空間２２１において摺動できる。ストレージアレイモジュール９００は、第２の開口２４０を介してケーシング２１０から挿抜することができる。ストレージアレイモジュール９００は、アレイを格納するための第１のトレー９０１と第２のトレー９０２を含む。第１のトレー９０１は、第１のストレージアレイ９０３を支持する。第２のトレー９０２は、第２のストレージアレイ９０５を支持する。第１のストレージアレイ９０３と第２のストレージアレイ９０５はいずれも、複数の第１の磁気ディスク装置９０４、複数の第２の磁気ディスク装置９０６を含む。複数の磁気ディスク装置は、ハードディスク駆動装置、固体ハードディスク駆動装置又はその組み合わせを含んでよい。尚、本発明の目的のため、複数の磁気ディスク装置は、本文に詳しく説明しないその他の駆動技術を含んでよい。
【００２８】
ストレージアレイモジュール９００は、更に第１のガイドレール９１０と第２のガイドレール９１１を含む。具体的には、第１のトレー９０１は、第１のガイドレール９１０を含んでよく、第２のトレー９０２は、第２のガイドレール９１１を含んでよい。二つのガイドレールは、収納空間２２０の第１の収容空間２２１における第１のトレー９０１と第２のトレー９０２同士が機能的に摺動できるように、機械的に互いに接続される。
【００２９】
尚、ストレージアレイモジュール９００をケーシング２１０からより容易に取り外すために、第１のトレー９０１と第２のトレー９０２は、第２の開口２４０の方向に摺動可能に取り外される。尚、第１のトレー９０１の摺動可能な取り外しは、第２のトレー９０２と独立して行われる。従って、ストレージアレイモジュール９００がケーシング２１０に押し込まれる場合に、当業者は、第２のトレー９０２を除去することなく、第１のトレー９０１における複数の第１の磁気ディスク装置９０４を修理することができる。
【００３０】
ストレージアレイモジュール９００は、ストレージアレイのベース板９２０を含む。複数の第１の磁気ディスク装置９０４は、アレイに配置され、且つ第１のトレー９０１に載置される。複数の第２の磁気ディスク装置９０６は、アレイに配置され、且つ、第２のトレー９０２に載置される。より詳しくは、各磁気ディスク装置は、ディスクとディスクスロットを含む。ディスクは、ディスクスロットに設けられ、そして、取り外し可能である。ディスクは、ディスクスロットにおけるコネクタ（未図示）によってストレージアレイのベース板９２０に電気的に接続される。従って、所要に応じてディスクを交換してもよい。尚、複数のディスク装置９０４、９０６はいずれも、ストレージアレイのベース板９２０によってメインボードモジュール５００に電気的に接続される。
【００３１】
了解すべきなのは、上記格納トレー（例えば、二つ）と複数の磁気ディスク装置（例えば、１２個）の数は、例示に過ぎず、本発明を限定するために用いられるものではない。当業者は、所要に応じて如何なる適当な数のストレージアレイを任意に選択してよい。
【００３２】
図５に示されるように、メインボードモジュール５００は、メインボードトレー５５０と、メインボード５１０と、複数の電子素子５２０と、複数の入力／出力モジュールと、複数の放熱シート５６０と、を含む。メインボードトレー５５０は、第４の収容空間２２４において取り外し可能であり、且つ、メインボード５１０を支持する。複数の電子素子５２０は、メインボード５１０に設けられる。例えば、複数の電子素子５２０は、センタープロセッシングユニット（Ｃｅｎｔｅｒ  Ｐｒｏｃｅｓｓｉｎｇ  Ｕｎｉｔ、ＣＰＵ）、グラフィックプロセッシングユニット（Ｇｒａｐｈｉｃ  Ｐｒｏｃｅｓｓｉｎｇ  Ｕｎｉｔ、ＧＰＵ）、通信インターフェースユニット、ディスクユニット又は複数の記憶ユニットを含んでもよい。複数の入力／出力モジュールは、対応する複数の入力／出力インターフェース素子５３０に電気的に接続される。複数の電子素子５２０は、メインボード５１０に電気的に接続される。放熱シート５６０は、センタープロセッサーに付着される。
【００３３】
いくつかの実施例において、メインボードモジュール５００がＸ軸に沿ってケーシング２１０に挿入される場合、メインボードトレー５５０は、収納空間２２０の第４の収容空間２２４内に設けられ、複数のファンモジュール８００と第１の開口２３０との間に規制される。従って、メインボードトレー５５０は、Ｘ軸に沿って移動しないように規制される。尚、メインボードトレー５５０の側辺は、Ｚ軸に沿う移動を規制するように、収納空間２２０の側辺と一致する。
【００３４】
以上のように、本発明のサーバスタンダーとサーバ装置の設計によれば、サーバ装置を修理又は検査する前に、当業者は、入力／出力インターフェース素子の信号線及び第１の開口と第２の開口の電気接続ポートに位置する電源ケーブルを容易に除去できる。線路を除去する場合、サーバ装置のいずれか一端に移動する必要がないとともに、サーバ装置を取り外す必要もないため、保守と検査の時間を節約する。尚、メインボードモジュールとストレージアレイモジュールは、互いに対向して設けられるため、それらは独立してケーシングから取り外されることができる。両者に対しては、空間を最大化させることができる。
【００３５】
以上、本発明の各種の実施形態を開示したが、了解すべきなのは、それはただ例示であるが、本発明を限定するためのものではない。当業者は、本発明の主旨と範囲を逸脱しない限り、本文の開示内容に基づいて開示される実施例に多種類の変化を加えることができるので、本発明の保護範囲は、上記実施例によって限定されない。逆に、本発明の範囲は、添付される特許請求の範囲に限定されるものを準じる。
【００３６】
本発明は、上記のとおり実施形態で開示したが、それは本発明を限定するためのものではない。当業者は、本発明の主旨と範囲から逸脱しない限り、各種の変動と修飾を加えることができる。又、本発明の一つ又は複数の実施例は、所定の特徴のみを開示したが、既定又は所定の適用は必要と有利である場合があれば、これらの特徴は、他の実施例の一つ又は複数の他の特徴と互いに組み合わせられることができる。
【００３７】
本文に用いられる用語は、ただ所定の実施例の目的を説明するに過ぎないが、本発明を限定することを目指すものではない。本文に用いられるように、上下文に別途、明らかに説明しない限り、単数形式の『一』、『一つ』と『前記』は、複数の形式を含むことを目指す。尚、明細書及び／又は特許請求の範囲に用いられる用語『を具有する』、『を有する』又はその他の類似な説明は、用語『を含む』の意味に類似する。
【００３８】
別途定義しない限り、本文に用いられる全ての用語（技術的用語と科学的用語）は、当業者が通常に理解される意味と同じである。更に理解すべきなのは、通常に利用された辞典に定義されるそれらの用語が、関連技術の上下文における意味と一致する意味を有するように解釈され、且つ、ここでは明らかに定義しない限り、形式化しすぎるか理想化する意味で解釈しない。
【符号の説明】
【００３９】
１００  サーバ装置
２１０  ケーシング
２２０  収納空間
２２１  第１の収容空間
２２２  第２の収容空間
２２３  第３の収容空間
２２４  第４の収容空間
２３０  第１の開口
２４０  第２の開口
２７０  分離板
５００  メインボードモジュール
５１０  メインボード
５２０  電子素子
５３０  入力／出力インターフェース素子
５５０  メインボードトレー
５６０  放熱シート
６００  電源供給モジュール
６１０  ハウジング
６２０  電源制御板
６４０  第１の電気接続ポート
６４１  第２の電気接続ポート
６４２  電源ポートコネクタ
８００  ファンモジュール
８０１、８０２、８０３  電源ファン
９００  ストレージアレイモジュール
９０１  第１のトレー
９０２  第２のトレー
９０３  第１のストレージアレイ
９０４、９０６  磁気ディスク装置
９０５  第２のストレージアレイ
９１０  第１のガイドレール
９１１  第２のガイドレール
９２０  ベース板
【図１】
2018060519.tif 000003
【図２】
2018060519.tif 000004
【図３】
2018060519.tif 000005
【図４】
2018060519.tif 000006
【図５】
2018060519.tif 000007